Podtech/llm-jp-corpus-v4-ja_patent huggingface dataset:
(57)【要約】【課題】  ゴルフ場のティーグランド、フェアウェイ、ゴルフ練習場において、ゴルフクラブでショットすると、意に反して深く地面を打ち込んだり、擦ったりすることがある。そのような場合、手首に衝撃が伝わって不快な思いをするという課題がある。また、クラブヘッドを払い抜きづらくなるため、ゴルフボールにエネルギーが伝わらず、思うようにゴルフボールが飛ばないという課題がある。さらに、ゴルフ練習場では人工芝の色素がクラブの底面に付着してしまい、なかなか汚れが落ちないという課題もある。【解決手段】  ゴルフクラブの底面にフッ素樹脂などの滑りを助長するシート又は、フィルムを装着することによって、これらの課題を解決する。【選択図】図１
2010284461.tif 000002
【特許請求の範囲】
【請求項１】
滑りを助長する効果のある合成樹脂シート又は、フィルムであり、ゴルフクラブのヘッド部底面に装着するものである。
【発明の詳細な説明】
【技術分野】
【０００１】  本発明はゴルフクラブヘッドの底面に装着するシート又は、フィルムであり、ゴルファーが芝生又は、地面を打ち込んでしまった場合に衝撃を軽減し、ゴルフクラブヘッドの振り抜けを改善したものである。
【背景技術】
【０００２】  ゴルフ練習用品として、クラブフェイスに装着してボールが当たった場所を表示するフィルムは市販されている。この例として、実用新案文献１があり、ゴルフクラブヘッドの底面にシートを貼り付けるものとして、実用新案文献２がある。
【実用新案文献１】
実用新案公開平６−８１５６８
【実用新案文献２】
登録実用新案第３１０１８１８号
【発明の開示】
【発明が解決しようとする課題】
【０００３】  ゴルフコース、ゴルフ練習場などでショットをした場合、ゴルフクラブヘッドが地面、ショットマットなどに深く入ってしまうことがある。そのような場合手首に衝撃が伝わり不快な思いをするという課題がある。【０００４】  また、特にゴルフコースにおいては、そのようなショットをした場合、クラブが振り抜けないため、ゴルフボールにエネルギーが伝わらず、飛距離が全く伸びないという課題がある。【０００５】  さらにゴルフ練習場では、人工芝ショットマットの摩擦により、人工芝の色素がゴルフクラブの底面に付着し、掃除してもなかなか落ちないという課題がある。
【課題を解決するための手段】
【０００６】  これらの課題を解決するためには、ゴルフクラブの底面に滑りを助長する効果がある合成樹脂からなるシート又は、フィルムを装着することによって、ゴルフ場のティーグランド、フェアウェイ、ゴルフ練習場のショットマット表面との摩擦抵抗を軽減させることが可能である。
【発明の効果】
【０００７】  本発明により、ゴルフ場のティーグランド、フェアウェイ、ゴルフ練習場のショットマットを通常より誤って深く打ち込んでもゴルフクラブの底面の摩擦抵抗が少ないため、振り抜けが良くなり、手首への衝撃は軽減され、飛距離も伸びやすくなり、そしてゴルフ練習場のショットマットの色素付着も改善できる。
【発明を実施するための最良の形態】
【０００８】    図１は、ゴルフクラブのドライバーヘッドの斜視図である。ゴルフ場のティーグランド、フェアウェイ、ゴルフ練習場のショットマットと主に接する部分は、底面３である。この底面３にフッ素樹脂からなるシート又は、フィルムをドライバーヘッドの形状に合わせて装着する。これがドライバーゴルフクラブ用ヘッド振り抜け改善シート４である。そのフッ素樹脂の特性が摩擦抵抗を軽減し、ゴルフクラブの滑りを助長して、クラブヘッドの振り抜けが良くなる。【０００９】  図２は、アイアンクラブの場合である。アイアンクラブも同様にクラブヘッドの底面にフッ素樹脂シート又は、フィルムを装着することで同様にクラブヘッドの振り抜けが良くなる。７は、アイアンゴルフクラブヘッド用振り抜け改善シートである。
【産業上の利用可能性】
【００１０】  本発明のゴルフクラブヘッド振り抜け改善シートは、工業的に量産可能であるため、産業上の利用可能性を有する。
【図面の簡単な説明】
【００１１】
【図１】  振り抜け改善シートを装着したドライバーゴルフクラブの底面から見た斜視図である。
【図２】  振り抜け改善シートを装着したアイアンゴルフクラブの底面から見た斜視図である。
【符号の説明】
【００１２】１  ドライバーゴルフクラブヘッド部
２  ゴルフクラブシャフト
３  ドライバーゴルフクラブ底面
４  ドライバーゴルフクラブ用ヘッド振り抜け改善シート
５  アイアンゴルフクラブヘッド部
６  アイアンゴルフクラブ底面
７  アイアンゴルフクラブ用ヘッド振り抜け改善シート
８  ドライバーゴルフクラブヘッド部フェイス
【図１】
2010284461.tif 000003
【図２】
2010284461.tif 000004
(57)【要約】【課題】ある一定の事項を記録するにあたり、筆記、ＰＣキーボード、音声方法などが挙げられるが、それらは時と場所により使用困難である事と、持続して使用する事に多くの負荷がかかるため、もっとも簡単で気軽に記録できる事を目的とした。【解決手段】片手で握れて、時と場所を選ばず、意味付けで配置された複数の内臓ボタン（センサー）を指先で押す強さ、回数を時系列でカウントして一定量の保存記録をする装置を考案した。そしてそのデータは、専用ソフトで各ボタンの意味と記号割り当ての設定次第で、幅広い用途の使用が考えられる。【選択図】図１
2010284463.tif 000002
【特許請求の範囲】
【請求項１】
片手で握りやすい形状に押しボタン（センサー）、メモリー基盤、電池、配線、ＵＳＢ端子を内蔵させて意味付けで配置されたボタンを押して一定量を時系列でカウントして保存記録するもので、ＵＳＢによってパーソナルコンピュータとの接続を行いそのデータを専用ソフトにて解析表示管理するものである。
【請求項２】
意味付けされたボタンとは、一例であるが、症状日誌管理ソフトとして設定した場合は、▲２▼−Ａが頭部、▲２▼−Ｂが右手、▲２▼−Ｃが左手、▲２▼−Ｄが右足、▲２▼−Ｅが左足、▲２▼−Ｆが腹部、▲２▼−Ｇが背中というように設定をして、違和感（痛み、痒み）があったときにボタン（センサー）を押し日時と箇所の回数を記録して、専用パーソナルコンピュータソフトで管理を行い医療機関において問診票の一部として痛みの度合、時間帯を診断に活用させるものである。専用ソフトの設定次第で各ボタンの意味と記号割り当て次第で、幅広い用途の発展が考えられる。
【発明の詳細な説明】
【技術分野】
【０００１】  本発明は、ボタンを押した箇所と日時をカウント一定量保存記録する装置である。
【発明の概要】
【発明が解決しようとする課題】
【０００２】  ある一定の事項を記録するにあたり、筆記、ＰＣキーボード入力、音声録音方法などが挙げられるが、それらは時と場所により使用困難である事と、持続して使用する事に多くの負荷がかかるため、もっとも簡単で気軽に記録できる事を目的とした。
【課題を解決するための手段】
【０００３】  片手で握れて、時と場所を選ばず、意味付けで配置された複数の内蔵ボタン（センサー）を指先で押す強さ、回数を時系列でカウントして一定量の保存記録をする装置を考案した。
【発明の効果】
【０００４】  男女問わず幅広い年代層の人たちにも一定の事項を持続して手軽に記録する事が出来る。一定の事項とは、たとえば、病気に対する予防を考えた場合、片手で握れるサイズでひとの形に模して、頭部、両手、両足、腹部、背中などに相当する部分にボタン（センサー）を配置して、違和感（痛み、痒み）のあるところを押す事で時系列にカウントして一定量を記録する。このデータは専用パーソナルコンピュータソフトで管理を行い医療機関において問診票の一部として痛みの度合、時間帯を診断に活用させるものである。
【図面の簡単な説明】
【０００５】
【図１】ひとの形に模した形状にボタン（センサー）などを内蔵配置した図
【図２】片手で握り使用している図
【発明を実施するための形態】
【０００６】本体▲１▼は、ポリウレタン製で握りやすい厚みがあり内部に▲２▼ボタン（センサー）▲３▼電池▲４▼メモリー基盤▲５▼ＵＳＢ端子が配置されている。
【符号の説明】
【０００７】▲１▼本体
▲２▼ボタン（センサー）▲２▼−Ａ、▲２▼−Ｂ、▲２▼−Ｃ、▲２▼−Ｄ、▲２▼−Ｅ、▲２▼−Ｆ、▲２▼−Ｇ
▲３▼バッテリー
▲４▼メモリー基盤
▲５▼ＵＳＢ端子
【図１】
2010284463.tif 000003
【図２】
2010284463.tif 000004
(57)【要約】      （修正有）【課題】一般的に行われている発毛方法（養毛剤・マッサージ・頭皮の洗浄など）では、ストレスにより頭皮が緊張・圧迫された血行不良による脱毛を、根本的に解決するには至っていない。【解決手段】この器具の材質の反発力を利用し、頭部に圧力をかけると頭皮と頭蓋骨の間にズレが生じ、ストレスなどにより血行不良となった頭皮に、充分な血流を取り戻すだけの空間が出現し発毛を促す。すなわち、枕の材質の元に戻ろうとする力により、枕に接している頭皮は頭頂部方向に押し上げられ、頭蓋骨は通常の位置に存在し続け様とし、脊椎方向に引き戻される。結果、頭蓋骨と頭皮の間に空間ができる。【選択図】図４
2010284471.tif 000002
【特許請求の範囲】
【請求項１】
ストレスなどにより圧迫された頭皮血管を、頭部に負荷をかけ頭蓋骨と頭皮の間をズラす事により、空間をつくり出し血管を開放し血流をスムーズにさせ発毛を促そうとする為の道具。
【発明の詳細な説明】
【技術分野】
【０００１】  この発明は、新発想による発毛器具である。
【背景技術】
【０００２】  頭部に負荷をかけ発毛させるという発想のもとに創られた発毛器具。
【発明の開示】
【発明が解決しようとする課題】
【０００３】  一般的な発毛方法（発毛剤・マッサージ・頭皮の洗浄など）では、頭蓋骨と頭皮の圧迫による血流の悪化を改善するに至っていない。
【課題を解決するための手段】
【０００４】  以上の課題を解決する為に、この発明は頭部に適度な圧力をかける事により、圧迫された頭部血管を通常の状態に戻し、発毛させようとする為の器具である。
【発明の効果】
【０００５】  この発毛器具を用い、頭部に圧力をかけると頭皮と頭蓋骨の間にズレが生じ、ストレスなどにより緊張・硬化し血行不良となった頭皮に、充分な血流を取り戻す為の空間が出現する。結果発毛を促す事が出来る。
【発明を実施するための最良の形態】
【０００６】１．この発明の実施形態を、図面に示す。
１．材質は弾力性のあるゴム・ウレタン・スポンジなど。
１．使用者の体型により側面▲１▼▲２▼▲３▼▲４▼▲５▼の角度を決定する。
【実施形態の効果】
【０００７】  この実施形態によれば、手などにより圧縮した枕に頭部を置き手を離す事で枕が元に戻ろうと頭皮を頭頂部方向に押し上げ、頭蓋骨との間に血流を覚醒させる空間をつくり、発毛を促す事が出来る。
【図面の簡単な説明】
【０００８】
【図１】はこの発明の実施形態を示す上面図である。
【図２】はこの発明の実施形態を示す側面図である。
【図３】はこの発明の実施形態を示す正面図である。
【図４】はこの発明の実施形態を示す全体図である。
【図１】
2010284471.tif 000003
【図２】
2010284471.tif 000004
【図３】
2010284471.tif 000005
【図４】
2010284471.tif 000006
(57)【要約】【課題】  従来提供されている既製品のバッグには、ボタンやファスナーがついていない種類が数多くあり、それらは、バッグの上部の開口部から中身の収容物が丸見えになってしまったり、防犯面でも不安になることが多い。しかしながら、既製品のバッグに後からボタンやファスナーなどを取り付けることは、難しい。  本発明は、このような問題点を解決するために成されたものであり、その目的は、安価で、使用時のファッション性も兼ね備え、且つ誰でも容易に取り付け、バッグの口を自在に開閉することができるようにすることにある。【解決手段】  一対の二股状の挟み具の挟み部内側に、互いに着脱可能な雄雌の留め具を設け、挟み部内側に、挟み部外側に向かって、カーブ部を設けた留め具付きクリップで、既製品などの留め具のないバッグに取り付けることによって、簡単に開閉自在の留め具付きのバッグにすることができる。そして、挟み部外側は、形状を限定せず、たとえば、動物やキャラクターなどの形状にしたり、会社名やブランドロゴを入れたりしてもよい。【選択図】図１
2010284477.tif 000002
【特許請求の範囲】
【請求項１】
一対の二股状の挟み具の挟み部内側に、互いに着脱可能な雄雌の留め具を設け、挟み部内側に、挟み部外側に向かって、カーブ部を設けた留め具付きクリップ。
【発明の詳細な説明】
【技術分野】
【０００１】  本発明は、留め具のないバッグが簡単に留め具付きのバッグになる留め具付きクリップに関するものである。
【技術背景】
【０００２】  従来、既製品のバッグには、ボタンやファスナーなどの留め具がついていない種類が数多くある。
【発明の概要】
【発明が解決しようとする課題】
【０００３】    従来提供されている既製品のバッグには、ボタンやファスナーがついていない種類が数多くあり、それらは、バッグの上部の開口部から中身の収容物が丸見えになったり、防犯面でも不安になることが多い。【０００４】    既製品のバッグに、後からボタンやファスナーなどを取り付けることは難しい。【０００５】    本発明は、このような問題点を解決するために成されたものであり、その目的は、製造が容易であり、安価で、使用時のファッション性も兼ね備え、且つ誰でも容易に取り付けることができ、バッグの口を自在に開閉することができるようにすることにある。
【課題を解決するための手段】
【０００６】  上記の目的を達成する本発明の留め具付きクリップは、二股状の挟み具の挟み部内側に、互いに着脱可能な雄雌の留め具を設け、挟み部内側に、挟み部外側に向かって、カーブ部を設けた留め具付きクリップで、既製品などの留め具のないバッグに取り付けることによって、簡単に、開閉自在の留め具付きバッグにすることができることを特徴とする。そして、挟み部外側は、形状を限定せず、たとえば、動物やキャラクターなどの形状にしたり、会社名やブランドロゴを入れたりしてもよい。
【発明の効果】
【０００７】    以上説明したように本発明によれば、留め具がなく、口の開いていたバッグに挟んで留めるだけで、自由に開閉できる留め具付きのバッグにすることが可能となる。
本発明は、留め具のないバッグだけでなく、口の開いた袋状の物全般に利用できる。
【図面の簡単な説明】
【０００８】
【図１】本発明の斜視図
【図２】本発明の使用状態を示す斜視図
【発明を実施するための形態】
【０００９】  以下、本発明の実施の形態を図面に基づき詳細に説明する。
（イ）挟み具外側（２）と隙間（７）を介して挟み部内側（３）が設けられた二股状の挟み具（１）は、雌雄の留め具を有する一対からなる。
（ロ）挟み部外側（２）平板状からなり、隙間（７）を介してこれに対峠する挟み部内側（３）は挟み部外側（２）へ向かって突出するようにカーブ部（６）を形成する。
（ハ）１の挟み具（１）は挟み部内側（３）の表面に台盤状の留め部雌部（４）を設け、留め部雌部（４）の表面に凹部（８）を設ける。
（ニ）他対の挟み具（１）は挟み部内側（３）の表面に台盤状の留め部雄部（５）を設け、留め部雄部（５）の表面に凸部（９）を設ける。このとき、凸部（９）は凹部（８）に嵌合自在とする。
（ホ）挟み部外側（２）の形状は、例えば動物やキャラクターなどの形状にしたり、ロゴを表示することを可能とする。
本発明は以上の構成よりなる。
本発明を使用するときは、挟み具（１）（１）の挟み部外側（２）（２）と挟み部内側（３）（３）の間の隙間（７）（７）を留め具のないバッグなどの開口縁辺に挿入して開口縁辺を挟む。
挟み具（１）（１）の挟み部外側（２）（２）と挟み部内側（３）（３）の間を留め具のないバッグに取り付けたら、互いに着脱可能な留め部雌部（４）と留め部雄部（５）をくっつけたり、離したりすることによって、バッグが開閉する。
また、挟み具（１）（１）の挟み部内側（３）（３）に設けられたカーブ部（６）（６）により、バッグにしっかりと取り付けられる。
【符号の説明】
【００１０】（１）（１）挟み具、（２）（２）挟み部外側、（３）（３）挟み部内側、（４）留め具雌部、（５）留め具雄部、（６）（６）カーブ部、（７）（７）隙間、（８）凹部、（９）凸部
【図１】
2010284477.tif 000003
【図２】
2010284477.tif 000004
(57)【要約】【課題】  本発明は、調理台や流し台の上で包丁を載置させる包丁置き台にあって、包丁を載置させる際の使い勝手を向上させた包丁置き台を提供することを課題とする。【解決手段】  包丁の刃板面を略水平に向けた状態で包丁を載置できるように、略水平な刃板載置部を設けると共に、刃板載置部の縁からカバー壁を立設したことを特徴とする包丁置き台を提供することで、課題を解決した。【選択図】図２
2010284472.tif 000002
【特許請求の範囲】
【請求項１】
包丁置き台において、包丁の刃板面を略水平に向けた状態で包丁を載置できるように、略水平な刃板載置部を設けると共に、刃板載置部の縁からカバー壁を立設したことを特徴とする包丁置き台。
【発明の詳細な説明】
【技術分野】
【０００１】  本発明は、調理台や流し台の上で包丁を載置させる包丁置き台に関するものである。
【背景技術】
【０００２】  従来の包丁置き台には、包丁の刃先を下側に向けた状態で、包丁の刃を溝部に挿入して包丁を載置させるものがある（例えば、特許文献１参照。）。【０００３】  以下、図４により従来の包丁置き台について説明する。図において、包丁の刃先６４を下側に向けた状態で、包丁の刃６３を溝部５３に挿入して包丁を載置させている。
【先行技術文献】
【特許文献】
【０００４】
【特許文献１】  特開２００３−３３９５５９号  公報
【発明の概要】
【発明が解決しようとする課題】
【０００５】  上記構成を有する例えば図４に示すような包丁置き台にあっては、包丁を載置させる際に、包丁の刃６３を溝部５３に差し込む必要があり、調理台や流し台の上で調理中に包丁を載置させる際に面倒な作業になるという問題があった。【０００６】  本発明は、このような従来の構成が有していた問題を解決しようとするものであり、調理台や流し台の上で包丁を載置させる包丁置き台にあって、包丁を載置させる際の使い勝手を向上させた包丁置き台を提供することを目的とするものである。
【課題を解決するための手段】
【０００７】  上記課題を解決するために本発明の包丁置き台は、包丁の刃板面を略水平に向けた状態で包丁を載置できるように、略水平な刃板載置部を設けると共に、刃板載置部の縁からカバー壁を立設したことを特徴とする包丁置き台である。【０００８】  上記の課題解決手段による作用は次の通りである。すなわち、従来の包丁の刃先を下側に向けた状態で包丁を載置させる包丁置き台では、包丁の刃を溝部に差し込むことで載置させた包丁が倒れるのを防止しているが、本発明の包丁置き台では、包丁の刃板面を略水平に向けた状態で包丁を載置できるようにしたことから、載置させた包丁が倒れることなく安定して載置できるので、溝部に挿入するような面倒な作業が必要なく、包丁を容易に載置できる。また、刃板載置部の縁からカバー壁を立設したことで、載置させた包丁の刃に手が当たり、手に傷がつくのを防止できる。【０００９】  また、刃板載置部を傾斜させて形成した場合は、載置させた包丁が自重で滑り落ち、刃先がカバー壁に当接することがあるが、本発明の包丁置き台では、略水平な刃板載置部となるように形成することで、載置させた包丁が自重で滑り落ちることがなく、刃先がカバー壁に当接することがなく、刃先に傷や汚れが付くのを防止できる。
【発明の効果】
【００１０】  上述したように本発明の包丁置き台は、調理台や流し台の上で調理中に包丁を載置させる際の、使い勝手を向上させた包丁置き台を提供できる。
【図面の簡単な説明】
【００１１】
【図１】  本発明の実施形態を示す包丁置き台の一例の斜視図
【図２】  図１に示した包丁置き台に包丁を載置させた状態の一例の斜視図
【図３】  図２におけるＡ−Ａ線断面図
【図４】  従来の包丁置き台の一例の斜視図
【発明を実施するための形態】
【００１２】  以下、本発明の実施の形態を図１〜図３に基づいて説明する。
【００１３】  図においては、包丁の刃板面３４を略水平に向けた状態で包丁を載置できるように、略水平な刃板載置部２３をワイヤー部材で設けると共に、刃板載置部２３の縁からカバー壁２４を網状部材で立設した、包丁置き台の一例を図示している。
【００１４】  図に示すように、包丁の刃板面３４を略水平にした状態で包丁を載置できることから、従来の包丁の刃を溝部に差し込むような面倒な作業がなく、包丁を容易に載置できる。また、刃板載置部の縁からカバー壁２４を設けたことから、包丁の刃に手が当たり、手に傷がつくのを防止できる。また、略水平な刃板載置部を形成することで、傾斜した刃板載置部を形成したもののように、載置させた包丁が自重で滑り落ち、刃先がカバー壁に当接して、刃先に傷や汚れが付くのを、防止できる。
【００１５】  本発明の包丁置き台の形状については、本実施例の図１に示す包丁置き台の形状は一例でありこれに限定されるものではなく、包丁の刃板面を略水平に向けた状態で包丁を載置できるように、略水平な刃板載置部を設けると共に、刃板載置部の縁からカバー壁を立設した形状であればよい。
【００１６】  例えば、本発明の包丁置き台の刃板載置部２３やカバー壁２４を、図１に示すようなワイヤー部材や網状部材の他に、板状部材等で設けても良い。
【００１７】  また、例えば、本発明の包丁置き台の刃板載置部２３やカバー壁２４や他各部の部材に、金属、プラスチック、木材、ゴム等の部材を用いても良い。
【００１８】  また、例えば、本発明の包丁置き台を、まな板スタンドに一体化または脱着可能とした構成としても良い。
【符号の説明】
【００１９】２２  本発明の包丁置き台本体
２３  本発明の包丁置き台の刃板載置部
２４  本発明の包丁置き台のカバー壁
３２  包丁
３３  包丁の刃板
３４  包丁の刃板面
３５  包丁の刃先
５２  従来の包丁置き台本体
５３  従来の包丁置き台の溝部
６２  包丁
６３  包丁の刃
６４  包丁の刃先
【図１】
2010284472.tif 000003
【図２】
2010284472.tif 000004
【図３】
2010284472.tif 000005
【図４】
2010284472.tif 000006
(57)【要約】【課題】  骨付き膝蓋腱の膝蓋骨側の骨を、必要最小限の骨切りで、採取するための器械である。【解決手段】  先端の長さは、採取する膝蓋骨の長さ、断面は蒲鉾型である。本発明の内径と外径はトレフィンドリルの内径と外径と同じで、尾部はＶ字型の取っ手を付け、円筒を把持し、回転しやすくしている。以上の構成を持つ、骨採取機である。トレフィンドリルで骨切りした膝蓋骨に本発明を挿入し、回転させることにより、骨付き膝蓋腱の膝蓋骨の近位端を、捻じり切ることを可能にした。【選択図】図７
2010284480.tif 000002
【特許請求の範囲】
【請求項１】
先端の断面の形は蒲鉾型で、長さは採取する予定の膝蓋骨の長さである。体部は円筒状であり、尾部には体部を回転させることができる取っ手をもつ骨採取機である。
【発明の詳細な説明】
【技術分野】
【０００１】  本発明は骨付き膝蓋腱の膝蓋骨側の骨の近位端を切り取るための器械に関するものである。
【背景技術】
【０００２】  前十字靱帯断裂はスポーツ選手によくある損傷である。この損傷の治療は手術を要する。手術法としては、靭帯の移植術が主である。いろいろな腱を用いるが、そのなかでも骨付き膝蓋腱の移植が広く行われている。骨付き膝蓋腱とは、膝蓋腱を膝蓋骨の一部と脛骨の一部を付けて同時に採取したものである（図１）。骨付き膝蓋腱を採取するためには、まず膝蓋腱の中央三分の一（１）を正確に切開する必要がある。つぎに脛骨側の骨（２）を、通常の骨鋸を用いて、幅は膝蓋腱の幅、長さは約２ｃｍ骨切り、骨を遊離させる。次に膝蓋骨（３）を、トレフィンドリルを用いて、骨付き膝蓋腱の近位端以外を切る（図２）。最後に骨付き膝蓋腱の膝蓋骨側の近位端を通常の骨鋸を用いて切り（図３）、骨付き膝蓋腱を採取する。
【発明の概要】
【発明が解決しようとする課題】
【０００３】  前記の方法では、次の問題点があった。トレフィンドリル（９）を用いて、膝蓋骨側の骨切りをした時、その断面は蒲鉾型になる（図４）。それに反して、骨付き膝蓋腱の近位端（８）を通常の骨鋸（１０）を用いて骨切り際に、蒲鉾型に骨切りをするのは不可能で、骨切りの範囲（１２）が必要以上に大きくなる（図５）。そのため膝蓋骨の強度が低下し、少ない外力で膝蓋骨の横骨折（１３）をおこすことがよくあった（図６）。また、膝蓋骨直上の皮膚を切開する必要があった。
【課題を解決するための手段】
【０００４】  先端の断面の形は蒲鉾型で、長さは採取する予定の膝蓋骨の長さである。体部は円筒状であり、尾部には体部を回転させることができる取っ手を持つ骨採取機である。
【発明の効果】
【０００５】  本発明は、前記に説明したように構成されているので、以下の効果がある。
骨を捻じって切るので、膝蓋骨を必要以上に切ることはない。そのため膝蓋骨の強度の低下を招くことがなく、その結果横骨折を起こすことは少ない。
【図面の簡単な説明】
【０００６】
【図１】膝蓋骨の正面図である。
【図２】トレフィンドリル（９）を用いて、膝蓋骨を骨切りした時の斜視図である。
【図３】骨付き膝蓋腱の近位端を通常の骨鋸を用いて骨切りした時の側面図である。ただし、トレフィンドリル（９）は縦断面図である。
【図４】トレフィンドリル（９）を用いて、膝蓋骨側の骨切りをした時の膝蓋骨の断面図である。
【図５】骨切りの範囲が必要以上に大きくなった時の膝蓋骨の縦断面図である。
【図６】骨付き膝蓋腱採取後骨折を起こした膝蓋骨の正面図である。
【図７】本発明の斜視図である。
【図８】本発明の先端の断面図である。
【図９】本発明を、骨付き膝蓋腱の近位端（８）まで、推し進めた時の斜視図である。
【図１０】本発明の先端部が膝蓋骨の一部を捻じり切る時の斜視図である。
【発明を実施するための形態】
【０００７】    以下、本発明の実施の形態について説明する。
（イ）体部は円柱状であり、内径と外径はトレフィンドリルと同じであり、尾部にはＶ字型の取っ手（１５）を付け、円筒を把持し回転しやすくしている（図７）。
（ロ）先端（１４）の長さは、採取する膝蓋骨の長さであり、断面は蒲鉾型である（図８）。
【０００８】  本発明は以上のような構成で、これらを使用するのは以下のように行う。
まず膝蓋腱（１）を正確に切開する。つぎに脛骨側の骨を通常の骨鋸を用いて、骨を膝蓋腱の幅、長さは約２ｃｍに切り脛骨（２）を遊離させる。次に膝蓋骨の一部（３）を、トレフィンドリルを用いて、骨付き膝蓋腱の膝蓋骨の近位端（８）以外を切る（図２）。そして、遊離した脛骨と膝蓋腱を前記の本発明の骨採取機の中に入れ、それを押し進める。骨採取機の先端（１４）の断面（図８）はトレフィンドリルで膝蓋骨を切った断面と一致している（図４）。そのため、トレフィンドリルで骨切りした膝蓋骨に本発明の骨採取機を挿入することができ、骨付き膝蓋腱の近位端（８）まで骨採取機を推し進めることが可能である（図９）。骨切りした膝蓋骨の断面と、本発明の骨採取機（１４）の先端部の断面は同じ寸法の蒲鉾型であるので、尾部の取っ手（１５）を把持し本発明の先端（１４）を回転させた際、膝蓋骨の骨片が空転することなく、骨を捻じり切ることが可能である（図１０）。以上の操作は、皮下より行うので、膝蓋骨直上の皮膚切開を必要としない。
【符号の説明】
【０００９】１    膝蓋腱の中央三分の一
２    脛骨の一部
３    膝蓋骨の一部
４    大腿骨
５    脛骨
６    腓骨
７    膝蓋骨
９    トレフィンドリル
１０  通常の骨鋸
１１  トレフィンドリルの骨切り線
１２  通常の骨鋸の骨切線
１３  膝蓋骨の横骨折線
１４  本発明の先端
１５  本発明の取っ手
【図１】
2010284480.tif 000003
【図２】
2010284480.tif 000004
【図３】
2010284480.tif 000005
【図４】
2010284480.tif 000006
【図５】
2010284480.tif 000007
【図６】
2010284480.tif 000008
【図７】
2010284480.tif 000009
【図８】
2010284480.tif 000010
【図９】
2010284480.tif 000011
【図１０】
2010284480.tif 000012
(57)【要約】【課題】  従来のアク取り器具は、広範囲なアクと調理材料隙間とのアクを取る兼用には不便であった。また使用後の清掃と乾燥に手間取り、見た目も悪い。【解決手段】  主要部に扁平金属線条材、或いは金属線条材をカール又はコイル状としたものを複数層に巻装した事によって、どのようなアクでも取り易く、且つ清掃と乾燥がし易くなった。【選択図】図１
2010284454.tif 000002
【特許請求の範囲】
【請求項１】
扁平金属線条材、或いは金属線条材をカール又はコイル状としたものをアク取り主要部に複数層に巻装したアク取り器具。
【発明の詳細な説明】
【技術分野】
【０００１】  この発明は、調理時の灰汁（アク）を除去する事に関する。
【背景技術】
【０００２】  従来のアク取り等に用いる器具は、獣毛あるいは化学繊維及び紙・プラスチック及び木などを使用し、普及品は化学製品及び木製品が主流である。
【先行技術文献】
【特許文献】
【０００３】  ▲１▼  特開平８−２４１４８号公報
▲２▼  実公平７−１６７４３号公報
▲３▼  特開平９−２９９２５７号公報
▲４▼  特開平１０−２３９７７号公報
▲５▼  特開２００１−１０４１７２号公報
▲６▼  特開２００２−２２３９６４号公報
▲７▼  特開２００７−１４７７６号公報
▲８▼  特開２００７−２２２５７７号公報
▲９▼  特開２００７−２３６８８５号公報
▲１０▼  実公平７−２７４３４号公報
▲１１▼  特開平１１−２９９６６１号公報
▲１２▼  特開２００７−４４３２５号公報
▲１３▼  特開２００７−１５９８８９号公報
【非特許文献】
【０００４】  無し
【発明の概要】
【発明が解決しようとする課題】
【０００５】  しかしながら、以上の技術によれば、調理材料が多いときは具材の隙間のアクは取りきれず、また、油材料を使用した場合は、器具の使用後に於ける清掃が煩雑であった。
そこで、本発明は、万遍無くアクが取れ、且つ使用時及び使用後の煩しい手間が無いアク取り器具を提供することを課題とする。
【課題を解決するための手段】
【０００６】  以上の課題を解決するために、本発明は、扁平金属線条材、或いは金属線条材をカール又はコイル状としたものをアク取り主要部に複数層に巻装し、接着剤又は他の固着手段により連結一体化し、縦・横・斜めと、どのような方向からもアクを吸い、且つ水切れの良いことを特徴とするアク取り器具である。【０００７】  本発明によれば、隅々のアクが取れ、且つ使用後の清掃が簡便である。
【図面の簡単な説明】
【０００８】
【図１】本発明の一実施形態を示す側面図である。
【図２】本発明の一実施形態を示す正面図である。
【発明を実施するための形態】
【０００９】  本発明の一実施形態を、図１に示す。
アク取り器具の形状は、柄部と主要部からなる金属や合成樹脂の任意の形状に於いて、主要部に円型孔やスリット状長孔などの多数の小孔や網目を設けて、アク以外の汁を速やかに透過する。
【００１０】「実施形態の効果」
この実施形態に於いて、主要部天頂及び横の部分では、調理素材の密集した隙間のアクを、主要部底辺の部分では広範囲なアクを良く吸い取り、使用後の清掃ではアクや油汚れが簡単に洗い流せ、且つ短時間にて乾燥する。
「他の実施形態」
図１の実施形態では、柄部と主要部が矩形として接続されているが、他の実施形態では、柄部と主要部を棒状に直線的に接続しても良い。
【産業上の利用可能性】
【００１１】既存の製品では使用勝手の悪さと使用後の清掃の煩わしさ、及び見た目の不衛生さ、特に化学繊維製品及び木製品では、油のこびり付きと水切れの悪さが否めなかった。しかしながら，本発明はこれらの不足を全て補う画期的なものである。
【符号の説明】
【００１２】１  柄          ２  主要部
【図１】
2010284454.tif 000003
【図２】
2010284454.tif 000004
【手続補正書】
【提出日】平成21年6月24日(2009.6.24)
【手続補正１】
【補正対象書類名】明細書
【補正対象項目名】０００６
【補正方法】変更
【補正の内容】
【０００６】  以上の課題を解決するために、本発明は、扁平金属線条材、或いは金属線条材をカール又はコイル状としたものをアク取り主要部に複数層に巻装し、或いは複数層に巻いたカール又はコイル状の扁平金属線条材及び金属線条材をアク取り主要部に接着剤又は他の固着手段により連結一体化し、縦・横・斜めと、どのような方向からもアクを吸い、且つ水切れの良いことを特徴とするアク取り器具である。
【手続補正２】
【補正対象書類名】特許請求の範囲
【補正対象項目名】請求項１
【補正方法】変更
【補正の内容】
【請求項１】
扁平金属線条材、或いは金属線条材をカール又はコイル状としたものをアク取り主要部に複数層に巻装し、或いは複数層に巻いたカール又はコイル状の扁平金属線条材及び金属線条材をアク取り主要部に接着剤又は他の固着手段により連結一体化したアク取り器具。
【手続補正書】
【提出日】平成21年9月9日(2009.9.9)
【手続補正１】
【補正対象書類名】明細書
【補正対象項目名】０００６
【補正方法】変更
【補正の内容】
【０００６】  以上の課題を解決するために、本発明は、扁平金属線条材、或いは金属線条材をカール又はコイル状としたものをアク取り主要部に複数層に巻装し、接着剤又は他の固着手段により連結一体化したことを特徴とするアク取り器具である。
【手続補正２】
【補正対象書類名】特許請求の範囲
【補正対象項目名】請求項１
【補正方法】変更
【補正の内容】
【請求項１】
扁平金属線条材、或いは金属線条材をカール又はコイル状としたものをアク取り主要部に複数層に巻装したアク取り器具。
(57)【要約】      （修正有）【課題】書籍・譜面・料理レシピ・用紙等を立て掛ける台で、不使用時の収納可能で、書籍等が見やすくするための角度調整が容易にできる。【解決手段】一枚板（木材・プラスティック・アクリル等）を加工し、穴０１に脚部０３を差込めば縦型となり、穴０２に脚部０３を差し込めば横型の書籍台として使用できる。脚部０３を差込む穴を替えれば角度調整ができる。収納する時は、接合部０４の凹凸を組み合わせれば、元の一枚板になり、本棚や鞄等に納めることができる。【選択図】図１
2010284457.tif 000002
【特許請求の範囲】
【請求項１】
使用しない際には一枚の板になり、本棚等に書籍と一緒に並べることができ、鞄等に入れての持ち運びが安易になる書籍台。
【請求項２】
大きさの違う穴、又は傾斜角の違う穴を数個開け、その穴に脚部を差し込む方式を取り入れることで、複数の角度及びサイズ調整が可能になる書籍台。
【発明の詳細な説明】
【技術分野】
【０００１】  本発明は、書籍又は用紙台に関するものである。
【背景技術】
【０００２】  従来より、書籍又は用紙を立て掛ける台は複数ある。
【発明の概要】
【発明が解決しようとする課題】
【０００３】  従来の書籍又は用紙を立て掛ける台は、不使用時の収納が困難であり、角度調整が複雑で不便であった。【０００４】  そこで、本発明は不使用時には本棚に収まり鞄等に入れて持ち運べるような形態にし、角度調整を安易にできるようにすることが目的である。
【課題を解決するための手段】
【０００５】  請求項１に記載の発明は、不使用時には一枚の板厚に収まる形状にしたことを要旨とする。従って請求項１に記載の発明によれば、一枚の板（木材・プラスティック・アクリル等）を図１に記載した形状に加工することにより、組み立てれば書籍・用紙を立て掛けることが可能になる。【０００６】  請求項２に記載の発明は、使用しやすいであろう角度を数個に限定し、計測して穴を開け、その穴に脚部を差し込むだけで組み立てできることを要旨とする。従って請求項２に記載の発明によれば、従来のネジ等を用いた複雑な調整・不必要であった角度を廃し、設置する書籍・用紙等に応じ、差込穴を変更するだけで複数の用途に合わせた角度及びサイズ調整ができる。
【発明の効果】
【０００７】  請求項１に記載の発明によれば、不使用時には一枚の板厚に収まるため、収納の不便さ・持ち運びの煩わしさが解消される。【０００８】  請求項２に記載の発明によれば、計測し開けた穴へ脚を差し込むだけで角度及びサイズ調整が可能になり、従来のネジ等を用いた調整の複雑さが解消される。又、この穴に脚を差し込むという単純な組立方法により、角度調整を行うための器具を付ける必要が無くなり、請求項１に記載の発明に伴い、よりコンパクト化することが可能になる。
【図面の簡単な説明】
【０００９】
【図１】本発明の収納形態を示す書籍台の正面図
【図２】同じく、書籍台の縦型組立形態を示す斜視図
【図３】同じく、書籍台の横型組立形態を示す斜視図
【発明を実施するための形態】
【実施例】
【００１０】  以下、本発明を具体化した実施形態を図面に基づいて説明する。【００１１】  図１で示す形状に、一枚の板（木材・プラスティック・アクリル等）を加工する。収納時には同じく図１の示す形状になり凹凸０４で固定し、一枚の板として収まる。【００１２】  穴０１に脚部０３を半回転して差込むことにより縦型の書籍台となる。【００１３】  穴０２に脚部０３を半回転して差込むことにより横型の書籍台となる。【００１４】  本発明は以上述べた実施例に限定されるものではない。
【符号の説明】
【００１５】  ０１，０２．．．差込穴
０３．．．脚部
０４．．．凹凸部
【図１】
2010284457.tif 000003
【図２】
2010284457.tif 000004
【図３】
2010284457.tif 000005
(57)【要約】【課題】  従来のあかすりタオルでは、背中のくぼみの一番かゆみのある所に当たりが弱すぎてまるでこすれた気がしませんでした。【解決手段】  あかすりタオル全体の長さの中央部分に、凸凹の形状を裏表両面に持ち少し弾力性のあるゴムでできたマッサ−ジユニットを入れるためのポケットを３個縦に並べて作り、このポケットの中にマッサ−ジユニットを入れたまま三つ折りに重ねると凸凹の形状そのままのふくらみがあかすりタオルの中央部分に出来るので、このふくらみのある部分を背中に当てながらあかすりタオルの両端を持って引っ張りながら上下左右にこすると、とても気持ち良い力具合で背中をこすることが出来るようになります。【選択図】図２
2010284458.tif 000002
【特許請求の範囲】
【請求項１】
あかすりタオル全体の長さの中央部分に、凸凹の形状を裏表に持ち少し弾力性のあるゴムでできたマッサ−ジユニットを入れるためのポケットを３個縦に並べて作り、このポケットの中にマッサ−ジユニットを入れたまま三つ折りに重ねると、凸凹の形状そのままのふくらみがあかすりタオルの中央部分に出来るようにした、三つ折りポケット付きあかすりタオル。
【発明の詳細な説明】
【技術分野】
【０００１】  本発明は、自分一人で、背中の手の届かない所まで気持ち良くこすることが出来るようにした、あかすりタオルに関するものである。
【背景技術】
【０００２】  従来のあかすりタオルは、タオルの素材や編み方により、肌ざわりの違いによる変化は付けられました。また、中心部分にスポンジを縫い込んでふくらみをもたせた物や、ネット状の素材のタオル生地をねじってふくらみをもたせた物などもありました。
【発明の開示】
【発明が解決しようとする課題】
【０００３】  以上のような従来のあかすりタオルでは、背中のくぼみの一番かゆみのある所に当たりが弱すぎてまるでこすれた気がしませんでした。【０００４】  本発明は、このような従来のあかすりタオルが有していた問題を解決しようとするものであり、背中のくぼみの一番かゆみのある所にしっかりとタオルが当たり、かつ、ただ当たるだけではなく誰か他の人が背中をこすってくれているような気持ちの良いこすり具合を、自分ひとりで実現出来るようになります。【０００５】  さらに、本発明のタオルの３カ所のポケットに、マッサ−ジユニットを１個入れるか２個入れるか、３個とも入れるかで、背中に当たる力具合を変えることが出来るようになります。【０００６】  それから、本発明のタオルのポケットに、マサ−ジユニットを入れないで使用すればからだ全体をこするボディタオルとして使えるので、このあかすりタオル１本で、背中とからだ全体をこする事が出来るようにする事を目的とするものである。
【課題を解決するための手段】
【０００７】  そして、本発明は、上記目的を達成するために、あかすりタオル全体の長さの中央部分に、凸凹の形状を裏表両面に持ち少し弾力性のあるゴムでできたマッサ−ジユニットを入れるためのポケットを作ります。【０００８】  そのためにまず、あかすりタオル本体の中央部分に、あかすり本体の幅でマッサ−ジユニットの長さの１．５倍の布を置き、この布が３等分になる位置であかすり本体に縫い付け、マッサ−ジユニットを出し入れするための入れ口を開けておいて、その他の３辺の布の端をあかすり本体に縫い付けると、マッサ−ジユニットを入れるポケットが３個縦に並んで出来るのでこのポケットの中にマッサ−ジユニットを入れ、三つ折りに重ねて、凸凹の形状そのままのふくらみが、あかすりタオルの中央部分に出来るようにしたものである
【発明の効果】
【０００９】  上述したように、あかすりタオルの中央部分に付けた３個のポケットに、マッサ−ジユニットを入れて三つ折りに重ねると、凸凹の形状そのままのふくらみが出来るので、このふくらみのある部分を背中に当ててあかすりタオルの両端を持って、引っ張りながら上下左右にこすると、とても気持ち良い力具合で背中をこすることが出来るようになります。【００１０】  また、マッサ−ジユニットをポケットから取り出して使用すると、普通のあかすりタオルとして使用できるので、このあかすりタオル一本で、身体全体を気持ち良くこすり洗いをする事が出来るようになります。
【発明の実施するための最良の形態】
【００１１】  以下、本発明の実施の形態を図１〜図４により説明する。
【００１２】  図１においては、あかすりタオル本体１．の中心部分に、ポケット用布片２．を３等分になる位置に縫い付け、マッサ−ジユニット３．を出し入れするための入れ口を開けておいて、その他の３辺の布の端を縫い付け線４．の通りあかすり本体１．に縫い付けると、マッサ−ジユニット３．を入れるためのポケット６．が縦に３個並んで出来る。
【００１３】  図１のように縫い付けて出来た３個のポケット６．の中に、マッサ−ジユニット３．をそれぞれに入れると、図２の状態になります。
【００１４】  図２の状態から、ポケット６．の入れ口をふさぐように矢印のように三つ折りにすると図３の状態になりあかすりタオル本体１．の中心部分に凸凹の形状そのままのふくらみ７．が出来るので、このふくらみのある部分を背中に当てながら、あかすりタオル本体１．の両端を持って引っ張りながら上下左右にこすると、とても気持ち良い力具合で背中を自分ひとりでこすることが出来るようになります。
【００１５】  図４はマッサ−ジユニット３．の形状である。
【図面の簡単な説明】
【００１６】
【図１】本発明の実施形態を示す縫い付け図
【図２】同あかすりタオルにマッサ−ジユニットを入れた全体図
【図３】同あかすりタオルの三つ折り図
【図４】同マッサ−ジユニットの形状図
【符号の説明】
【００１７】    １．あかすりタオル本体
２．ポケット用布片                  Ａ  真横から見た図
３．マッサ−ジユニット−−−−−−  Ｂ  斜め上から見た図
４．縫い付け線                      Ｃ  真上から見た図
５．マッサ−ジユニット入れ口
６．マッサ−ジユニット入れポケット
７．ポケットにマッサ−ジユニットを入れて三つ折りにしたふくらみ
【図１】
2010284458.tif 000003
【図２】
2010284458.tif 000004
【図３】
2010284458.tif 000005
【図４】
2010284458.tif 000006
(57)【要約】【課題】  狭い襟首でも通し易くしたハンガーであり、ハンガーが少しだけ長いために襟首が通らないというような場合に対応し、襟首にハンガー肩受け部の片方を入れて保持し、もう一方の手指で襟首の端を摘んで反対側の肩受け部に通す。という作業動作を大きく変更することなく使い勝手の良い工夫を施した狭い襟首でも通し易くした折り曲げハンガーを提供する。【解決手段】  先端に止め具（４）を有する可動肩受け（３）が、中央辺りからＶの字に曲げられる状態にした底部の渡し棒（７）を折り曲げることにより、フック（１）の下に設けた引っ掛け通し部（６）を移動し、襟首を通す際に掛かるハンガーの横幅（９）を減少させて狭い襟首でも通し易くする折り曲げハンガーを特徴とする。【選択図】図２
2010284482.tif 000002
【特許請求の範囲】
【請求項１】
衣服用ハンガー上部フックの左右両側に位置する肩受け部の片方をフックとの付け根から離し、フックの下に設けた通し引掛け部から外れない様に先端に止め具を付けて内側一方への可動接続とする。ハンガー底部の渡し棒を中央辺りからＶの字に折り曲げられるように施す。折り曲げたハンガー底部の渡し棒から上方へと繋がる可動接続の肩受け部をフックの下の通し引掛け部へ入れ込む事により襟首を通す際に掛かるハンガーの横幅を減少させて、狭い襟首でも通し易くした折り曲げハンガー。折り曲げた渡し棒は、位置を固定する為に摘んだ可動接続の肩受け部から手指を離すことにより元の状態に復元する。
【発明の詳細な説明】
【技術分野】
【０００１】  この発明は、ハンガー底部の渡し棒部分をＶ字に変形させ、片方の肩受け部をハンガー本体の内側に曲げ込む事により、襟首を通す際に掛かるハンガーの横幅を減少させて、狭い襟首でも通し易くした折り曲げハンガーに関するものである。
【背景技術】
【０００２】  従来、首周りの狭い衣服をハンガーにかける時には襟首を通し難く、襟首を伸ばしてしまったり掛け直しをしたりする事があり、その問題を解消するためのハンガーがいくつも考案されている。本発明もその一つであるが、襟首にハンガー肩受け部の片方を入れて保持し、もう一方の手指で襟首の端を摘んで反対側の肩受け部に通す。という作業動作において、作業動作を大きく変更することなく使い勝手をより良くしたものである。
【発明の概要】
【発明が解決しようとする課題】
【０００３】  これは、次のような欠点があった。
従来、衣服ハンガーは人の肩を模って肩幅を取るために襟首の狭い衣服を通し難い事があった。衣服をハンガーに掛ける場合、先ず、衣服の襟首を摘み肩受け部に通し、フック近くまで運んだ襟首とフックの根元付近を一緒に掴み保持する。次に、もう一方の手指で垂れ下がった襟首の端を摘み反対側の肩受け部に通す。という作業動作をするが、この時に襟首が少し狭いと通す事が出来ず、襟首を伸ばしてしまったり掛け直しをしたりする事が起きる。本発明は、上記の作業動作を大きく変更することなく使い勝手の良い工夫を施した狭い襟首でも通し易くしたハンガーで、以上のような欠点を無くすためになされたものである。
【課題を解決するための手段】
【０００４】  肩受けの一方をフック（１）との付け根から離し、先端に止め具（４）を有する可動肩受け（３）とし、フック（１）の下に設けた引っ掛け通し部（６）に止め具（４）を引っ掛けてハンガー本体の内側一方へ可動な接続とする。中央辺りからＶの字に曲げられる状態にした底部の渡し棒（７）を折り曲げることにより、底部の渡し棒（７）からフック（１）方向へと繋がる可動肩受け（３）が引っ掛け通し部（６）を通り移動するにつれて肩受け（２）のフック（１）付け根付近から可動肩受けの角（５）までの長さである襟首を通す際に掛かるハンガーの横幅（９）が徐々に減少する。折り曲げた渡し棒（７）は固定の為に摘んだ可動肩受け（３）から手指を離すことにより元の状態に戻る。本発明は、以上の構成よりなる狭い襟首でも通し易い折り曲げハンガーである。
【発明の効果】
【０００５】  狭い襟首でも通し易くしたハンガーであり、ハンガーが少しだけ長いために襟首が通らないというような場合に対応し、襟首にハンガー肩受け部の片方を入れて保持し、もう一方の手指で襟首の端を摘んで反対側の肩受け部に通す。という作業動作を大きく変更することなく使い勝手の良い工夫を施したものである。
【図面の簡単な説明】
【０００６】
【図１】    本発明の斜視図である。
【図２】    本発明の使用時の斜視図である。
【図３】    渡し棒（７）の折り曲げ部分の説明図である。
【図４】    襟首を通す際に掛かるハンガーの横幅（９）の比較を示す説明図である。
【発明を実施するための形態】
【０００７】  以下、本発明を実施するための形態について説明する。
衣服ハンガーのフック（１）の下に引っ掛け通し部（６）を設ける。肩受けの一方をフック（１）との付け根から離して可動肩受け（３）とし、引っ掛け通し部（６）に止め具（４）を掛けることにより内側一方への可動接続とする。底部の渡し棒（７）を中央辺りからＶの字に曲げられる状態にする。
本発明は以上のような構造である。
これを使用するときは、先ず肩受け（２）に襟首を通し、フック（１）の近くまで運び、襟首とフック（１）の付け根付近を一緒に掴み保持する。襟首の端を摘んだもう一方の手指で直接に、または可動肩受けの角（５）を押して、或いは先に襟首とフック（１）の付け根付近を一緒に掴み保持していた方の手の指で止め具（４）を引き金にして引くなどして底部の渡し棒（７）を折り曲げる。曲げられた渡し棒（７）から上部へと繋がる可動肩受け（３）が引っ掛け通し部（６）を通り移動するにつれて襟首を通す際に掛かるハンガーの横幅（９）が徐々に減少する。襟首が通る幅を見計らって先に襟首と一緒に掴んだ側の手指で移動する可動肩受け（３）を摘むことにより位置を固定できる。これにより襟首を通す際に掛かるハンガーの横幅（９）を減少させて狭い襟首を通す事が出来る。Ｖの字に折り曲げた渡し棒（７）は、位置を固定する為に摘んだ可動肩受け（３）から手指を離すことで重力により復元する。図面では底部の渡し棒（７）の折り曲げ部分は、一方の先端に軸、対側の先端に軸受けを設け、軸受け部（８）を形成し折り曲がるようにしてあるが曲げられる構造であればよく、他の仕方として、曲げる部分に樹脂や金属バネなどの弾性素材を使用して元の形に戻るものとしてもよい。
【符号の説明】
【０００８】    １  フック
２  肩受け
３  可動肩受け
４  止め具
５  可動肩受けの角
６  引っ掛け通し部
７  渡し棒
８  軸受け部
９  襟首を通す際に掛かるハンガーの横幅
【図１】
2010284482.tif 000003
【図２】
2010284482.tif 000004
【図３】
2010284482.tif 000005
【図４】
2010284482.tif 000006
(57)【要約】【課題】従来、名札等を衣服に装着する器具で、ピンの特徴とクリップの特徴を持ち合わせた器具が見当たらない。【解決の手段】クリップのつまみの一方に装着ピンを設け、クリップのつまみの他の一方に装着ピンの針先収納部を設けると共に、クリップの前方に名札装着ピンと名札装着ピンの針先収納部を設けたピンつきクリップを実現する。【選択図】図１
2010284487.tif 000002
【特許請求の範囲】
【請求項１】
クリップのつまみ１の一方に装着ピン３を設け、クリップのつまみ１の他の一方に装着ピンの針先収納部４を設けると共に、クリップの前方に名札装着ピン５と名札装着ピンの針先収納部６を設けたピンつきクリップ。
【発明の詳細な説明】
【技術分野】
【０００１】  本発明は、名札等を衣服に簡単に装着するための器具に関するものである。
【背景技術】
【０００２】  従来の名札等を衣服に装着する器具には数多くの形状の安全ピンやクリップがある。【０００３】  先行技術の中にバネの力で自動的に針が収納する安全ピンがある。
（例えば特許文献１参照）【０００４】
【特許文献１】特開２０００−８３７０８
【発明が解決しようとする課題】
【０００５】  従来、名札等を衣服に装着する器具で、安全ピンの特徴とクリップの特徴を有した一体型のもので衣服のどの部分にでも装着できる器具の技術は確立されていない。名札等の衣服への装着は簡単に行えることが望ましく、又、片手操作ができ指が滑りにくい構造も必要条件である。
【０００６】  本発明はこのような必要条件を満たし、従来の諸問題を解決できる器具を実現することが目的である。
【課題を解決するための手段】
【０００７】  本発明は上記目的を達成するために、クリップのつまみ１の一方に装着ピン３を設け、クリップのつまみ１の他の一方に装着ピンの針先収納部４をもうけると共に、クリップの前方に名札装着ピン５と名札装着ピンの針先収納部６を設けたピンつきクリップを実現する。
【発明の効果】
【０００８】  ピンつきクリップは従来の安全ピンとクリップの機能を一体化したものであり、名札等を衣服に装着する場合に胸ポケットにはクリップを、又他の部分にはピンを用いることができ、１つの器具で目的を達することができる。
【０００９】  ピン部分を利用する場合、クリップのつまみをつまむことにより自動的にピンが開き、指を離せば自動的にピンが閉じる構造なので簡単に操作できる。又、クリップのつまみを操作するため指が滑りにくい。
【発明を実施するための最良の形態】
【００１０】  以下、本発明の実施の形態を図１〜図３に基づいて説明する。【００１１】  クリップの前方に設けられた名札装着ピン５に名札等を装着する。（図３）【００１２】  名札等を装着した本発明のクリップつまみ１を指でつまみ、開いた装着ピン３を衣服に通し、通し終わった時点でクリップのつまみ１から手を離す。自動的に装着ピン３の針先が装着ピンの針先収納部４に納まり装着を終了する。（図２、図１）【００１３】  名札等を装着した本発明のクリップのつまみ１を指でつまみ、開いたクリップの装着部２を服の胸ポケット等に挟み込み、クリップのつまみ１から指を離す。自動的に装着部２が閉じ装着を終了する。（図２、図１）
【図面の簡単な説明】
【００１４】
【図１】本発明の後方斜視図
【図２】同後方斜視図
【図３】同前方斜視図
【符号の説明】
【００１５】１  クリップのつまみ
２  クリップの装着部
３  装着ピン
４  装着ピンの針先収納部
５  名札装着ピン
６  名札装着ピンの針先収納部
【図１】
2010284487.tif 000003
【図２】
2010284487.tif 000004
【図３】
2010284487.tif 000005